(57)【要約】【課題】つる植物の生育初期段階でも高い遮視性を得ることができる、つる植物の登攀ガイド装置およびつる植物の登攀ガイド構造を提供する。【解決手段】つる植物の登攀ガイド装置１０は、つる植物が付着する付着面３６を有し、日光を遮る複数の遮光部３０と、つる植物が巻き付く縦部材４２および横部材４４（巻付部）を有し、複数の遮光部３０を支持する支持体３２と、空気および光を通過させる複数の孔５４を有し、視線を遮る遮視部３４とを備え、複数の遮光部３０は、空気および光を通過させる開口３８を構成するように互いに離間して配置されており、遮視部３４は開口３８に配置されている。【選択図】図３
2013230107.tif 000002
【特許請求の範囲】
【請求項１】
つる植物が付着する付着面を有し、日光を遮る複数の遮光部と、
つる植物が巻き付く巻付部を有し、前記複数の遮光部を支持する支持体と、
空気および光を通過させる複数の孔を有し、視線を遮る遮視部とを備え、
前記複数の遮光部は、空気および光を通過させる開口を構成するように互いに離間して配置されており、
前記遮視部は前記開口に配置されている、つる植物の登攀ガイド装置。
【請求項２】
前記遮視部は、線状部材によって網状に形成されている、請求項１に記載のつる植物の登攀ガイド装置。
【請求項３】
前記遮視部は、断面が略Ｖ字状または略Ｕ字状となるように形成されている、請求項２に記載のつる植物の登攀ガイド装置。
【請求項４】
前記線状部材の一部が前記付着面に配置されている、請求項２または３に記載のつる植物の登攀ガイド装置。
【請求項５】
前記複数の遮光部のそれぞれは、互いに平行に延びて形成されている、請求項１ないし４のいずれかに記載のつる植物の登攀ガイド装置。
【請求項６】
前記支持体は格子状に形成されている、請求項１ないし５のいずれかに記載のつる植物の登攀ガイド装置。
【請求項７】
居住空間の開口部を外側から覆うように設けられるつる植物の登攀ガイド構造であって、
つる植物が付着する付着面を有し、日光を遮る複数の遮光部と、
つる植物が巻き付く巻付部を有し、前記複数の遮光部を支持する格子状の支持体と、
前記窓に向かう視線を遮る網状の遮視部とを備え、
前記複数の遮光部は、空気および光を通過させる開口を構成するように互いに離間して上下方向に延びて配置されており、
前記遮視部は、水平方向断面が略Ｖ状または略Ｕ字状となるように前記開口に配置されている、つる植物の登攀ガイド構造。
【発明の詳細な説明】
【技術分野】
【０００１】
本発明は、遮光性、遮視性および通風性を得ることができる、つる植物の登攀ガイド装置および登攀ガイド構造に関する。
【背景技術】
【０００２】
夏の節電対策として、つる植物の葉で窓を覆う緑のカーテンが知られている。つる植物の葉で窓を覆うと、葉によって窓から入る直射日光を遮ることができるだけでなく、葉によって部屋の内部を見え難くすることができ、さらに、葉の間を通る風を窓から部屋内に取り込むことができる。その結果、冷房機器の稼動時間を短くして電力消費量を低減（節電）することができる。
【０００３】
従来、緑のカーテンを作る際には、窓を外側から覆うようにネットを設置し、つる植物を植え付けたプランタをネットの下部に近接して設置し、つる植物をネットに沿わせて面状に成長させるようにしていた。しかし、この方法では、ネットを構成する線状の部材に沿ってつる植物を登攀させる必要があるため、登攀可能なつる植物の種類が著しく制限されていた。そこで、特許文献１では、より多くの種類のつる植物が登攀可能な植栽装置が提案されている。この植栽装置は、つる植物の上方向への生育を幇助する植物伸長路と、つる植物の展張繁茂を可能とする植物支持壁とを備えている。植物伸長路は、つる植物を囲繞してその進行方向を上方に向ける誘導壁を有しており、植物支持壁は、格子状およびメッシュ状等の多孔体で構成されている。
【先行技術文献】
【特許文献】
【０００４】
【特許文献１】特開２０１０−３５５１２号公報
【発明の概要】
【発明が解決しようとする課題】
【０００５】
特許文献１の植栽装置によれば、植物伸長路でつる植物の上方向への生育を幇助することができるので、より多くの種類のつる植物を登攀させることができる。しかし、植物支持壁は、格子状およびメッシュ状等の多孔体であることから、植栽装置の遮視性は低く、植栽装置で窓を覆い隠すことが困難であった。そのため、窓の外側に植栽装置を設置した場合でも、つる植物の生育初期段階では部屋の外部から部屋の内部が見えるおそれがあり、このことが窓を開けることをためらう原因となって、節電対策の妨げになっていた。
【０００６】
本発明は、上記課題を解決するためになされたものであり、遮視性を向上することができる、つる植物の登攀ガイド装置および登攀ガイド構造を提供することを目的とする。
【課題を解決するための手段】
【０００７】
上記課題を解決するために、本発明に係るつる植物の登攀ガイド装置は、つる植物が付着する付着面を有し、日光を遮る複数の遮光部と、つる植物が巻き付く巻付部を有し、前記複数の遮光部を支持する支持体と、空気および光を通過させる複数の孔を有し、視線を遮る遮視部とを備え、前記複数の遮光部は、空気および光を通過させる開口を構成するように互いに離間して配置されており、前記遮視部は前記開口に配置されていることを特徴とする。
【０００８】
この構成では、複数の遮光部は、空気および光を通過させる開口を構成するように互いに離間して配置されており、開口には、視線を遮る遮視部が配置されているので、登攀ガイド装置で窓を外側から覆うことによって、部屋の外部から部屋の内部を見え難くすることができる。つまり、遮視性を向上することができる。
【０００９】
前記遮視部は、線状部材によって網状に形成されていてもよい。この構成では、遮視部が線状部材によって網状に形成されているので、遮視部の製造が容易であり、製造コストを低減することができる。
【００１０】
前記遮視部は、断面が略Ｖ字状または略Ｕ字状となるように形成されていてもよい。この構成では、遮視部の断面形状が略Ｖ字状または略Ｕ字状であるため、遮視性を高めることができるとともに、雨水が開口を通して窓側へ浸入するのを抑制することができる。
【００１１】
前記線状部材の一部が前記付着面に配置されていてもよい。この構成では、付着面に配置された線状部材の一部によって付着面に凸部を形成することができるので、当該凸部によって付着根または付着盤を有するつる植物の付着性を高めることができる。
【００１２】
前記複数の遮光部のそれぞれは、互いに平行に延びて形成されていてもよい。この構成では、つる植物が付着する付着面を有する複数の遮光部のそれぞれが、互いに平行に延びて形成されているので、遮光部が延びる方向につる植物の生育を促すことができる。したがって、遮光部が延びる方向を上下方向に合わせることによって、つる植物の上方向への生育を幇助することができる。
【００１３】
前記支持体は格子状に形成されていてもよい。この構成では、つる植物が面状に生育した場合でも、つる植物の全体を格子状の支持体によってバランスよく支持することができる。
【００１４】
上記課題を解決するために、本発明に係るつる植物の登攀ガイド構造は、居住空間の開口部を外側から覆うように設けられるつる植物の登攀ガイド構造であって、つる植物が付着する付着面を有し、日光を遮る複数の遮光部と、つる植物が巻き付く巻付部を有し、前記複数の遮光部を支持する格子状の支持体と、前記窓に向かう視線を遮る網状の遮視部とを備え、前記複数の遮光部は、空気および光を通過させる開口を構成するように互いに離間して上下方向に延びて配置されており、前記遮視部は、水平方向断面が略Ｖ状または略Ｕ字状となるように前記開口に配置されていることを特徴とする。
【００１５】
この構成では、つる植物が付着する付着面を有する複数の遮光部が上下方向に延びて配置されているので、つる植物の上方向への生育を幇助することができる。また、遮視部の水平方向断面が略Ｖ字状または略Ｕ字状であるため、遮視性を高めることができるとともに、開口を通した窓側への雨水の浸入を抑制することができる。
【発明の効果】
【００１６】
本発明によれば、上記構成により、遮視性を向上することができる。したがって、つる植物の生育初期段階でも、窓を開けることに対する精神的な障壁を低くして節電を促すことができる。
【図面の簡単な説明】
【００１７】
【図１】実施形態に係るつる植物の登攀ガイド装置および登攀ガイド構造の使用状態を示す側面図である。
【図２】実施形態に係るつる植物の登攀ガイド装置および枠体の構成を示す正面図である。
【図３】実施形態に係るつる植物の登攀ガイド装置の一部の構成を示す斜視図である。
【図４】図３におけるIV−IV線断面図である。
【図５】遮光部と遮視部とを有するシート部材の構成を示す正面図である。
【図６】複数の登攀ガイド装置を枠体に組み込んだ状態を示す正面図である。
【図７】遮視部の変形例を示す図４に対応する断面図である。
【図８】遮光部の変形例を示す図４に対応する断面図である。
【発明を実施するための形態】
【００１８】
以下に、本発明に係るつる植物の登攀ガイド装置およびつる植物の登攀ガイド構造の好ましい実施形態について、図面を参照しながら説明する。
【００１９】
図１は、実施形態に係るつる植物の登攀ガイド装置１０（以下、単に「登攀ガイド装置」という。）およびつる植物の登攀ガイド構造１２（以下、単に「登攀ガイド構造」という。）の使用状態を示す側面図である。図２は、登攀ガイド装置１０および枠体２２の構成を示す正面図である。なお、図２では、枠体２２を仮想線（二点鎖線）で示している。
【００２０】
図１に示すように、登攀ガイド構造１２は、建物１４の窓１６（すなわち居住空間の開口部）を外側から覆うように設けられ、つる植物１８を登攀させながら面状に生育させるものである。登攀ガイド構造１２は、バルコニー２０に設置された枠体２２と、窓１６を覆うようにして枠体２２に取り付けられた登攀ガイド装置１０とを備えている。そして、登攀ガイド装置１０の下部近傍には、プランタ２４が配置されており、プランタ２４には、つる植物１８が植え付けられている。
【００２１】
登攀ガイド装置１０を登攀可能なつる植物１８には、様々な種類のものがあり、登攀の仕方に着目すると、巻付け型と付着型とに大別することができる。巻付け型には、つるの節から出る巻ひげを登攀ガイド装置１０に巻き付けながら登攀する巻ひげ型（ブドウ、カラスウリ、ヘチマ等）や、つるを登攀ガイド装置１０に巻き付けながら登攀する巻つる型（フジ、アケビ、クズ等）がある。一方、付着型には、ひげ先端の付着盤を登攀ガイド装置１０に付着させながら登攀する付着盤型（ナツヅタ、ヘンリーヅタ等）や、つるの節から出る付着根を登攀ガイド装置１０に付着させながら登攀する付着根型（オオイタビ、キヅタ、テイカカズラ等）がある。
【００２２】
図２に示すように、枠体２２は、登攀ガイド装置１０を支持するものであり、左右の側辺部２２ａ，２２ｂと、側辺部２２ａ，２２ｂの上端部どうしを連結する上辺部２２ｃと、側辺部２２ａ，２２ｂの下端部どうしを連結する下辺部２２ｄとによって略四角形に形成されている。枠体２２の大きさは、枠体２２で支持された登攀ガイド装置１０で窓１６（図１）を覆うことができるように、窓１６（図１）の大きさよりもやや大きめにされている。本実施形態では、登攀ガイド装置１０の上下方向長さが約１８００ｍｍ、水平方向長さが約９００ｍｍに設計されており、枠体２２の上下方向長さおよび水平方向長さは、これらとほぼ同じ長さに設計されている。
【００２３】
図３は、登攀ガイド装置１０の一部の構成を示す斜視図であり、図４は、図３におけるIV−IV線断面図である。図５は、遮光部３０と遮視部３４とを有するシート部材５２の構成を示す正面図である。図３および図４に示すように、登攀ガイド装置１０は、日光を遮る複数の遮光部３０と、複数の遮光部３０を支持する支持体３２と、視線を遮る遮視部３４とを備えている。
【００２４】
図３および図４に示す遮光部３０は、日光を遮るとともに、つる植物１８（図１）を付着させるものであり、ポリビニルアルコール（ＰＶＡ）、ポリエチレン（ＰＥ）、ポリスチレン（ＰＳ）等のような合成樹脂や、アルミニウム等の金属によって上下方向に延びる略帯状のシート状に形成されている。遮光部３０は、日光を遮ることができるように、不透明または半透明に形成されており、遮光部３０の表裏両面には、つる植物１８（図１）が付着する付着面３６が形成されている。複数の遮光部３０は、互いに幅方向に離間して平行に配置されており、隣り合う２つの遮光部３０の間には、空気および光を通過させるスリット状の開口３８が形成されている。
【００２５】
図３および図４に示す付着面３６は、主に付着型のつる植物１８（図１）を付着させる面である。図４に示すように、付着面３６には、つる植物１８（図１）の付着性を高めるために凸部４０が設けられている。本実施形態では、開口３８において遮視部３４を構成する線状部材３４ａが付着面３６にも配置されており、線状部材３４ａによって凸部４０が形成されている。付着面３６に凸部４０を形成する方法は、特に限定されるものではなく、例えば、付着面３６に線状部材３４ａに代わる部材を配置する方法や、付着面３６に粒子を含む塗料を塗布する方法や、付着面３６に凸部を加工する方法等が採用されてもよい。また、これらの２つ以上の方法が適宜組み合わせて採用されてもよい。
【００２６】
図３に示すように、支持体３２は、複数の遮光部３０および遮視部３４を支持するとともに、つる植物１８（図１）を巻き付かせるものである。支持体３２は、上下方向に延びる略棒状の縦部材４２と、水平方向に延びる略棒状の横部材４４とによって略格子状に形成されており、縦部材４２および横部材４４のそれぞれが、つる植物１８が巻き付く「巻付部」となっている。図２に示すように、支持体３２の全体形状は、枠体２２と同じ略四角形である。支持体３２のマス目の大きさは、特に限定されるものではないが、本実施形態では、マス目の上下方向長さが約１００ｍｍ、水平方向長さが約１３０ｍｍに設計されている。
【００２７】
図３に示すように、縦部材４２と横部材４４とは、これらが交差する交差部４８において互いに接合されている。そして、複数の遮光部３０のそれぞれが、交差部４８において支持体３２に接合されている。本実施形態では、縦部材４２と横部材４４とが溶接により接合されており、複数の遮光部３０のそれぞれが針金５０を用いて支持体３２に接合されている。縦部材４２と横部材４４とを接合する方法は、特に限定されるものではなく、例えば、針金等の締結部材による方法等が採用されてもよい。遮光部３０を支持体３２に接合する方法も、特に限定されるものではなく、接着または溶接による方法等が採用されてもよい。
【００２８】
図４に示すように、本実施形態では、支持体３２の各縦部材４２が各遮光部３０の幅方向中央部に配置されており、各遮光部３０の窓１６（図１）側とは反対側（外側）の付着面３６には、各縦部材４２によって凸部４３が形成されている。
【００２９】
図３に示すように、遮視部３４は、視線を遮るとともに、つる植物１８（図１）を巻き付かせるものである。遮視部３４は、糸および針金等のような線状部材３４ａによって、複数の孔５４を有する略網状に形成されている。複数の孔５４のそれぞれは、開口３８において空気および光を通過させるものであり、支持体３２のマス目の大きさよりも十分に小さく形成されている。
【００３０】
図５に示すように、遮視部３４は、枠体２２（図２）の内側空間の全体に広がる大きさに形成されたシート部材５２の一部として構成されている。シート部材５２は、上記線状部材３４ａによって全体が略網状に形成されている。シート部材５２の一部には、上記線状部材３４ａによって上下方向に延びる複数の略袋状の収容部５２ａが形成されており、複数の収容部５２ａのそれぞれには、遮光部３０が収容されている。つまり、図４に示すように、遮光部３０の表裏の付着面３６には、収容部５２ａを構成する線状部材３４ａが配置されている。本実施形態において、収容部５２ａを構成する線状部材３４ａは、すなわち遮視部３４を構成する線状部材３４ａであり、当該線状部材３４ａの一部が付着面３６に配置されることによって、付着面３６に凸部４０が形成されている。
【００３１】
図５に示すように、シート部材５２は、線状部材３４ａを用いて略網状に編むことによって、或いは、線状部材３４ａを用いて略網状に織ることによって形成されている。複数の遮光部３０は、シート部材５２を編む工程、或いは、シート部材５２を織る工程で収容部５２ａに収容される。図５に示すように、シート部材５２の水平方向長さは、支持体３２（図２）の水平方向長さよりも十分に長くされている。図３および図４に示すように、シート部材５２（遮光部３０および遮視部３４）を支持体３２に取り付けるときには、各遮視部３４の水平方向断面が略Ｖ字状または略Ｕ字状となるように、各遮視部３４が窓１６（図１）側に突出するように曲げられる。したがって、遮視部３４を正面視したときには、遮視部３４のマス目（網目）の見かけ上の幅が水平方向において縮小され、線状部材３４ａの見かけ上の分布密度が水平方向において大きくなる。
【００３２】
図２に示すように、登攀ガイド装置１０を枠体２２に取り付ける際には、登攀ガイド装置１０の周縁部がボルト等の固定具（図示省略）を用いて枠体２２に固定される。図１に示すように、登攀ガイド装置１０および枠体２２を用いて登攀ガイド構造１２を構成する際には、登攀ガイド装置１０が取り付けられた枠体２２が窓１６を覆うようにして、バルコニー２０に設置される。そして、登攀ガイド装置１０の下部近傍にプランタ２４が配置され、当該プランタ２４につる植物１８が植え付けられる。
【００３３】
つる植物１８の生育初期段階では、つる植物１８で窓１６を覆うことはできないが、登攀ガイド装置１０の遮光部３０および遮視部３４によって高い遮視性を得ることができる。特に、本実施形態では、遮視部３４の水平方向断面が略Ｖ字状または略Ｕ字状となっており、遮視部３４を正面視したときには、遮視部３４を構成する線状部材３４ａの見かけ上の分布密度が水平方向において大きくなるので、通気性を損なうことなく、高い遮視性を得ることができる。したがって、窓１６を開けることに対する精神的障壁を低くすることが可能であり、窓１６を開けて部屋の内部に風を取り込むことができる。その結果、冷房機器の稼動時間を短くして節電することができる。
【００３４】
つる植物１８の生育過程では、つる植物１８は、付着面３６を有する複数の遮光部３０と、つる植物１８が巻き付く「巻付部」を有する支持体３２と、略網状の遮視部３４とを利用して登攀ガイド装置１０を登攀する。つまり、つる植物１８が巻付け型である場合には、当該つる植物１８は、巻ひげまたはつるを支持体３２および遮視部３４に巻き付けながら登攀する。一方、つる植物１８が付着型である場合には、当該つる植物１８は、付着盤または付着根を付着面３６に付着させながら登攀する。本実施形態では、付着面３６に凸部４０，４３が形成されているので、付着盤または付着根の付着性が良好であり、多くのつる植物１８を登攀させることができる。つる植物１８が十分に生育した状態では、つる植物１８の全体を格子状の支持体３２によってバランスよく支持することができる。
【００３５】
図１に示した登攀ガイド装置１０に雨水が当たると、当該雨水は、開口３８を通って窓１６側に浸入しようとする。しかし、本実施形態では、開口３８に遮視部３４が配置されているので、遮視部３４によって窓１６側への雨水の浸入を抑制することができる。特に、本実施形態では、遮視部３４の水平方向断面が略Ｖ字状または略Ｕ字状となっており、遮視部３４を正面視したときには、遮視部３４を構成する線状部材３４ａの見かけ上の分布密度が水平方向において大きくなるので、線状部材３４ａによって雨水の浸入を効果的に抑制することができる。
【００３６】
図２に示すように、上述の実施形態では、登攀ガイド装置１０の大きさが予め決められているが、長尺の登攀ガイド装置１０をロール状に巻いておき、必要長さだけを適宜切断して使用するようにしてもよい。この場合、遮光部３０および支持体３２は、可撓性を有する材料で形成される。
【００３７】
図６は、複数の登攀ガイド装置１０を枠体６０に組み込んだ状態を示す正面図である。図１に示すように、上述の実施形態では、１つの登攀ガイド装置１０を用いて窓１６を覆うようにしているが、図６に示すように、他の実施形態では、複数の登攀ガイド装置１０を用いて窓を覆うようにしてもよい。図６に示した実施形態では、９個の登攀ガイド装置１０が１つの枠体６０に取り付けられており、より広範囲を同時に覆うことができるようになっている。
【００３８】
図７は、遮視部の変形例を示す図４に対応する断面図である。図４に示すように、上述の実施形態では、開口３８に配置された遮視部３４が遮光部を有していないが、図７に示すように、開口３８に配置された遮視部６２が遮光部６４を有していてもよい。この変形例によれば、遮光部６４によって遮視性をより高めることができるとともに、付着型のつる植物１８（図１）の登攀をより効果的に幇助することができる。
【００３９】
図８は、遮光部の変形例を示す図４に対応する断面図である。図４に示すように、上述の実施形態では、遮光部３０の幅方向中央部に支持体３２が接合されているが、図８に示すように、遮光部６６が２つの部分６６ａ，６６ｂに分割されるとともに、２つの部分６６ａ，６６ｂの間に配置された線状部材３４ａが支持体３２に接合されていてもよい。この変形例によれば、支持体３２に巻き付いた巻付け型のつる植物１８（図１）を２つの部分６６ａ，６６ｂの間に配置された線状部材３４ａにさらに巻き付けることが可能であり、巻付け型のつる植物１８（図１）の登攀をより効果的に幇助することができる。
【符号の説明】
【００４０】
１０…  登攀ガイド装置
１２…  登攀ガイド構造
１８…  つる植物
３０…  遮光部
３２…  支持体
３４…  遮視部
３６…  付着面
３８…  開口
４２…  縦部材
４４…  横部材（巻付部）
５４…  孔
【図１】
2013230107.tif 000003
【図２】
2013230107.tif 000004
【図３】
2013230107.tif 000005
【図４】
2013230107.tif 000006
【図５】
2013230107.tif 000007
【図６】
2013230107.tif 000008
【図７】
2013230107.tif 000009
【図８】
2013230107.tif 000010